(57)【要約】【課題】球詰まりのおそれがなくパチンコ機設置島内に可及的に多くのパチンコ球を貯留し得る球貯留装置を提供する。【解決手段】球揚送リフト３の下部球入口４ｂに向かって底面１５が下傾状に形成された球貯留タンク１６をパチンコ機設置島内に設けるとともに、多数の透孔１７が分散状に開設された球誘導板１８を該球貯留タンクの上部に緩傾斜状に張設し、該球誘導板上に放出された多数のパチンコ球を該透孔より分散して該球貯留タンク内に落下させる。また、球誘導板１８はパチンコ機が設置される島天板１ａ，１ｂと略々同じ高さで球貯留タンク１６の底面１５とは逆向の緩傾斜状に張設したものとする。【選択図】図３
2006149853.tif 000002
【特許請求の範囲】
【請求項１】
球揚送リフトの下部球入口に向かって底面が下傾状に形成された球貯留タンクをパチンコ機設置島内に設けるとともに、多数の透孔が分散状に開設された球誘導板を該球貯留タンクの上部に緩傾斜状に張設し、該球誘導板上に放出された多数のパチンコ球を該透孔より分散して該球貯留タンク内に落下させるようにしたことを特徴とするパチンコ機設置島の球貯留装置。
【請求項２】
球誘導板はパチンコ機が設置される島天板と略々同じ高さで球貯留タンクの底面とは逆向の緩傾斜状に張設したものである請求項１に記載したパチンコ機設置島の球貯留装置。
【請求項３】
球貯留タンクの底面の下傾端である貯留球の出口部に該貯留球の流出を制御するシャッタを設けた請求項１または２に記載のパチンコ機設置島の球貯留装置。
【請求項４】
球揚送リフトの上部球出口からオーバーフローしたパチンコ球が球誘導板上に放出されるようにした請求項１〜３のいずれかに記載のパチンコ機設置島の球貯留装置。
【発明の詳細な説明】
【技術分野】
【０００１】
本発明は遊技場内を循環する多数のパチンコ球をパチンコ機設置島に貯留する装置に関するものである。
【背景技術】
【０００２】
パチンコ機設置島は、下記特許文献１，２等により知られているように、パチンコ機の後側に排出されたアウト球等のパチンコ球を貯留するとともに、該パチンコ球を球揚送リフトに集合させ景品球補給用の球供給樋に適宜供給する機能を有している。
【特許文献１】特開平９−１４０９１６号公報
【特許文献２】特開平１１−５７１９１号公報
【発明の開示】
【発明が解決しようとする課題】
【０００３】
ところで、パチンコ遊技場では「大当り」が一時に集中した場合のように短時間に多量のパチンコ球を要する場合があるとともに、遊技者に払い出した景品球が多量となる時期があるので、設置島内にできるだけ多くのパチンコ球を貯留でき、しかもこれらのパチンコ球は滞留することなく常に循環できる態勢に貯留されていることが望ましい。しかし従来のパチンコ機設置島は、設置島内の球貯留空間を大容量のものとしてもパチンコ球が流入口の下部で山成になり易いことから流入口がパチンコ球で塞がれ流入がストップするおそれがあった。
一方、上記特許文献２に示された遊技機設置島は、傾斜樋によって球貯留空間を上下段に仕切ることにより球貯留を均等化するものであったが、仕切によって球詰まりを起こすおそれがあることが否定できないものであった。
【０００４】
そこで本発明は、球詰まりのおそれがなく、可及的に多くのパチンコ球を貯留し得るパチンコ機設置島の球貯留装置を提供しようとするものである。
【課題を解決するための手段】
【０００５】
そのために請求項１に記載のパチンコ機設置島の球貯留装置は、球揚送リフトの下部球入口に向かって底面が下傾状に形成された球貯留タンクをパチンコ機設置島内に設けるとともに、多数の透孔が分散状に開設された球誘導板を該球貯留タンクの上部に緩傾斜状に張設し、該球誘導板上に放出された多数のパチンコ球を該透孔より分散して該球貯留タンク内に落下させるようにしたことを特徴とする。
【０００６】
また請求項２に記載の発明は、上記パチンコ機設置島の球貯留装置において、球誘導板はパチンコ機が設置される島天板と略々同じ高さで球貯留タンクの底面とは逆向の緩傾斜状に張設したものであることを特徴とする。
【０００７】
また請求項３に記載の発明は、上記パチンコ機設置島の球貯留装置において、球貯留タンクの底面の下傾端である貯留球の出口部に該貯留球の流出を制御するシャッタを設けたことを特徴とする。
【０００８】
また請求項４に記載の発明は、上記パチンコ機設置島の球貯留装置において、球揚送リフトの上部球出口からオーバーフローしたパチンコ球が球誘導板上に放出されるようにしたことを特徴とする。
【発明の効果】
【０００９】
請求項１および請求項２に記載の発明では、パチンコ機設置島内の狭い空間に多量のパチンコ球を貯留することができパチンコ球を多量に要する時期に対処できる。また、球誘導板に多数の透孔が開設されていることから球詰まりを起こすおそれがない。
請求項３に記載の発明では、球貯留タンクの貯留球の流出を制御することにより球揚送リフトにより無駄にパチンコ球が揚送循環することが防がれる。
請求項４に記載の発明では、オーバーフローした余剰なパチンコ球を球貯留タンクに取り込むことができる。
【実施例１】
【００１０】
次に本発明の実施例を図面に従い説明する。図１はパチンコ機設置島の概略構成を示す縦断面図、図２はその要部の横断面拡大図、図３はこのパチンコ機設置島内の要部の斜視図である。図中、１ａ，１ｂは所定幅Ｗを離して平行で水平に支持された島天板、２ａ，２ｂは該島天板の上に設置されたパチンコ機で、該パチンコ機は図２に示されるように背中合わせで、かつ多数が隣接するように設置される。３は該設置島の一端部に設けられた球揚送リフト、４ａ，４ｂは該球揚送リフトの下部球入口、５は該球揚送リフトの上部球出口、６は球揚送リフトにより揚送され該上部球出口５から流出したパチンコ球を該各パチンコ機の背面上部に設けられた景品球タンク７に送給する球供給樋、８は球揚送リフト３により揚送され該上部球出口５からオーバーフローしたパチンコ球を導く溢球誘導ホース、９は溢球誘導ホースの下端部に設けられた球放出口部、１０ａ，１０ｂは各パチンコ機から排出されたアウト球等のパチンコ球を受けるため各パチンコ機の裏側の島天板１ａ，１ｂ上に設けられた排出球受皿、１１ａ，１１ｂは該排出球受皿より導出された球排出ホース、１２は該設置島の他端部に遊技客が景品球を投入するために設けられた景品球自動交換器、１３は該景品球自動交換器の球排出筒である。
【００１１】
しかして本発明では、球揚送リフト３の下部球入口４ｂに向かって底面１５が下傾状に形成された球貯留タンク１６を当該パチンコ機設置島内に設けるとともに、多数の透孔１７が分散状に開設された球誘導板１８を該球貯留タンクの上部に島天板１ａ，１ｂと略々同じ高さで球貯留タンクの底面１５とは逆向の緩傾斜状なるように張設し、前記球放出口部９を該球誘導板１８の傾斜上部に設定し、該球誘導板上に放出されたパチンコ球が該各透孔より分散して該球貯留タンク内に落下するようにする。
【００１２】
１９ａ，１９ｂは球誘導板１４の下面両側縁に該球誘導板１４と同様に緩傾斜状なるように設けられたパチンコ球回収樋で、図１に示したように該パチンコ球回収樋の傾斜下端部２０は球貯留タンク１６外の該パチンコ機設置島内に開放されている。また、２１は球貯留タンク１６の底面１５の下側に該底面と同様の傾斜状なるように該パチンコ機設置島内の全長に亘って設けられたパチンコ球回収樋で、該パチンコ球回収樋の傾斜下端は前記球揚送リフト３の下部球入口４ａに連通している。そして、背面に球誘導板１８が位置しているパチンコ機については図２，図３に示したように前記球排出ホース１１ａ，１１ｂを透孔１７に差し込んでパチンコ球回収樋１９ａ，１９ｂに連通させ、該各パチンコ機から排出されたパチンコ球が該パチンコ球回収樋１９ａ，１９ｂを通ってその傾斜下端部２０からパチンコ球回収樋２１に落下するようにする。また、背面に球誘導板１８が位置していないパチンコ機については図１に示されるように前記球排出ホース１１ａ，１１ｂをパチンコ球回収樋２１上に垂下させ、該パチンコ機から排出されたパチンコ球が該パチンコ球回収樋２１に直接排出されるようにする。また、前記景品球自動交換器１２の球排出筒１３はパチンコ球回収樋２１の傾斜上端部に連通させ、その回収球が該パチンコ球回収樋２１に排出されるようにする。
なお、球貯留タンク１６の底面１５の下傾端である貯留球出口部に貯留球の流出を制御するためにシャッタ２２が設けられている。
【００１３】
このように構成したパチンコ機設置島の球貯留装置では、パチンコ球回収樋１９ａ，１９ｂおよびパチンコ球回収樋２１を通して回収されたパチンコ球が球揚送リフト３によって揚送され球供給樋６を通して各パチンコ機に循環する。また、上部球出口５からオーバーフローしたパチンコ球は溢球誘導ホース８の下端部に設けられた球放出口部９から球誘導板１８上に放出され、該球誘導板は緩傾斜状に設けられていることから該パチンコ球は該球誘導板１８上を流れてその多数の透孔１７のいずれかから球貯留タンク１６内に落下する。このため、該球貯留タンク１６内にパチンコ球を均一に貯留することができる。即ち、該球貯留タンク１６内にはパチンコ球が山成になることなく均一に貯留できるとともに、たとえ一部に山成の部分ができてその直上の透孔１７がパチンコ球で塞がれたとしても、新たに流れてきたパチンコ球は他の透孔１７から該球貯留タンク１６内に落下するので、該球貯留タンク１６内には容積いっぱいに多量のパチンコ球を貯留することができる。
【００１４】
そして該球貯留タンク１６内に貯留されたパチンコ球は、必要時にシャッタ２２を開け球揚送リフト３の下部球入口４ｂに流出させることにより、不足する循環球として補給される。
このように本発明の球貯留装置では、球誘導板１８はパチンコ機が設置される島天板１ａ，１ｂと略々同じ高さまで高い位置に張設することにより狭いパチンコ機設置島内でも多量のパチンコ球を貯留することができる。このため多量にパチンコ球を要する時期に容易に対処することができる。また、球誘導板１８を球貯留タンク１６の底面１５とは逆向の緩傾斜状に張設したことによってもパチンコ機設置島内空間を有効利用できる。また、球誘導板１８に多数の透孔１７が開設されていることから球詰まりを起こすおそれがないなど種々の顕著な効果がある。
【００１５】
なおこの実施例では、球揚送リフトよりオーバーフローしたパチンコ球が球誘導板上に放出されるようにしたが、各パチンコ機から排出されたパチンコ球が該球誘導板上に放出されるようにしてもよい。またこの実施例に示した球貯留装置は、球揚送リフトが一端部に設けられたパチンコ機設置島について説明したが、球揚送リフトが中央部に設けられたパチンコ機設置島にも設置できることはいうまでもない。
【図面の簡単な説明】
【００１６】
【図１】本発明の実施例であるパチンコ機設置島の概略構成を示す縦断面図。
【図２】図１の要部の横断面拡大図。
【図３】本発明の実施例であるパチンコ機設置島の球貯留装置の要部の斜視図。
【符号の説明】
【００１７】
１ａ，１ｂ        島天板
２ａ，２ｂ        パチンコ機
３                球揚送リフト
４ａ，４ｂ        下部球入口
５                上部球出口
６                球供給樋
８                溢球誘導ホース
９                球放出口部
１０ａ，１０ｂ    排出球受皿
１１ａ，１１ｂ    球排出ホース
１２              景品球自動交換器
１５              底面
１６              球貯留タンク
１７              透孔
１８              球誘導板
１９ａ，１９ｂ    パチンコ球回収樋
２１              パチンコ球回収樋
２２              シャッタ
【図１】
2006149853.tif 000003
【図２】
2006149853.tif 000004
【図３】
2006149853.tif 000005